(57)【特許請求の範囲】
【請求項１】
外部カセット及び前記外部カセット内に収容された内部カセットを備える塗膜転写具であって、
前記内部カセットは、
基材テープ上に塗膜を設けた転写テープを繰出す繰出部と、
前記転写テープを被転写面に押圧して前記塗膜を転写する転写押圧部と、
塗膜転写後の前記基材テープを巻取る巻取部と、
前記繰出部と前記巻取部を連動回転させる連動回転機構と
を有し、
前記外部カセットは、少なくとも第１ケース及び第２ケースを有し、前記第１ケースと前記第２ケースは相互に回転可能であり、
前記第２ケースを前記第１ケースに対して回転させると、
前記第１ケースに設けられた開口部と前記第２ケースに設けられた開口部が重なり合うことによって前記外部カセットに開口部が生じ、
前記内部カセットが前記第１ケースとともに回転することによって前記転写押圧部が前記外部カセットの前記開口部に向かって移動し、
前記第２ケースを前記第１ケースに対してさらに回転させると、
前記内部カセットが前記第２ケースに設けられた凸部と接触することによって、前記内部カセットの前記転写押圧部側の端部が前記第１ケースに対して揺動して、前記開口部から前記転写押圧部が前記外部カセット外へ突出する、塗膜転写具。
【請求項２】
前記転写押圧部が前記外部カセット外へ突出した状態で、前記第２ケースの前記第１ケースに対する回転を禁止状態とする回転禁止部をさらに備える、請求項１に記載の塗膜転写具。
【請求項３】
前記回転禁止部による前記第２ケースの前記第１ケースに対する回転禁止状態が解除可能である、請求項２に記載の塗膜転写具。
【請求項４】
前記回転禁止部が、前記第１ケースと前記第２ケースのそれぞれに設けられ互いに係合可能な第１係合部で構成され、前記第１ケースと前記第２ケースの第１係合部が係合すると同時に、前記内部カセットと前記第２ケースのそれぞれに設けられ互いに係合可能な第２係合部が係合する、請求項３に記載の塗膜転写具。
【請求項５】
前記内部カセットの全部又は一部が交換可能である、請求項１に記載の塗膜転写具。
【請求項６】
前記内部カセットの全部又は一部が交換可能である、請求項２に記載の塗膜転写具。
【請求項７】
前記内部カセットの全部又は一部が交換可能である、請求項３に記載の塗膜転写具。
【請求項８】
前記内部カセットの全部又は一部が交換可能である、請求項４に記載の塗膜転写具。
【発明の詳細な説明】
【技術分野】
【０００１】
本発明は、文字修正用塗膜、接着用の粘着剤塗膜、装飾用塗膜等を被転写面に押圧転写するための塗膜転写具に関し、特に、塗膜を転写する転写押圧部上の転写テープを外部から保護することができる塗膜転写具に関する。
【背景技術】
【０００２】
塗膜転写具は、一般に、ケ−ス部分より突出した転写ヘッドに掛け回したテ−プの外面に塗布された糊や修正インクなどの塗膜を、紙などの被転写体へ転写するようになっている。そのため塗膜が外部に露出しており、不使用時に、塗膜の破損やゴミの付着が発生しやすくなっている。【０００３】
塗膜の破損や塗膜へのゴミの付着を防止するために、従来から特許文献１のような、転写ヘッドを覆う着脱可能な保護キャップを設けた塗膜転写具が提案されている。また、特許文献２のような、ノック式と言われる後端に設けたノック部材を押して内部カセットを前後させることによって、先端の開口部から転写ヘッドを出し入れする塗膜転写具も提案されている。また特許文献３のような、転写ヘッドを備えた基板を容器本体内に回転自在に保持するとともに、基板に容器本体開口部を閉塞する閉鎖片を設けた塗膜転写具も提案されている。【０００４】
特許文献１や特許文献２の塗膜転写具では、保護キャップやノック部材を、ケース（容器本体）とは別に設ける必要があり、構造が複雑になる。場合によっては、保護キャップやノック部材用の成形金型を作るために、多くの手間や費用が掛かる。一方、特許文献３の塗膜転写具では、容器本体を回動するだけで、容器本体開口部を閉塞することができるので、容器と別に保護キャップやノック部材を設ける必要はなく、簡単な構造で塗膜を保護することができる。【０００５】
しかしながら、特許文献３の塗膜転写具は、基板の回転中心からの容器本体の外壁までの距離が遠い部分から、容器本体の外壁までの距離が近い部分まで、転写ヘッドが回転移動することにより、転写ヘッドが容器本体の外壁から突出する構造である。よって、転写ヘッドは容器本体の外壁からわずかに突出するだけであった。このため、特許文献３の塗膜転写具では、塗膜転写時に転写ヘッドが容器本体に隠れて、転写位置が非常に見難くなっていた。
【先行技術文献】
【特許文献】
【０００６】
【特許文献１】特開２００４−２８４１７９号公報
【特許文献２】特開２００６−２７２９４９号公報
【特許文献３】特開平１０−３２４０９２号公報
【発明の概要】
【発明が解決しようとする課題】
【０００７】
本発明が解決しようとする課題は、簡単な構造で転写ヘッドに掛け回したテ−プの外面に塗布された糊や修正インクなどの塗膜を確実に保護することができ、しかも、使用時には、転写ヘッドが容器より大きく突出して、使用者が転写位置を見やすい塗膜転写具の提供である。
【課題を解決するための手段】
【０００８】
第１観点に係る塗膜転写具は、外部カセット及び前記外部カセット内に収容された内部カセットを備える。前記内部カセットは、基材テープ上に塗膜を設けた転写テープを繰出す繰出部と、前記転写テープを被転写面に押圧して前記塗膜を転写する転写押圧部と、塗膜転写後の前記基材テープを巻取る巻取部と、前記繰出部と前記巻取部を連動回転させる連動回転機構とを有する。前記外部カセットは、少なくとも第１ケース及び第２ケースを有し、前記第１ケースと前記第２ケースは相互に回転可能である。前記第２ケースを前記第１ケースに対して回転させると、前記第１ケースに設けられた開口部と前記第２ケースに設けられた開口部が重なり合うことによって前記外部カセットに開口部が生じ、前記内部カセットが前記第１ケースとともに回転することによって前記転写押圧部が前記外部カセットの前記開口部に向かって移動する。前記第２ケースを前記第１ケースに対してさらに回転させると、前記内部カセットが前記第２ケースに設けられた凸部と接触することによって、前記内部カセットの前記転写押圧部側の端部が前記第１ケースに対して揺動して、前記開口部から前記転写押圧部が前記外部カセット外へ突出する。【０００９】
第２観点に係る塗膜転写具は、第１観点に係る塗膜転写具であって、前記転写押圧部が前記外部カセット外へ突出した状態で、前記第２ケースの前記第１ケースに対する回転を禁止状態とする回転禁止部をさらに備える。【００１０】
第３観点に係る塗膜転写具は、第２観点に係る塗膜転写具であって、前記回転禁止部による前記第２ケースの前記第１ケースに対する回転禁止状態が解除可能である。【００１１】
第４観点に係る塗膜転写具は、第３観点に係る塗膜転写具であって、前記回転禁止部が、前記第１ケースと前記第２ケースのそれぞれに設けられ互いに係合可能な第１係合部で構成され、前記第１ケースと前記第２ケースの第１係合部が係合すると同時に、前記内部カセットと前記第２ケースのそれぞれに設けられ互いに係合可能な第２係合部が係合する。【００１２】
第５観点に係る塗膜転写具は、第１観点から第４観点のいずれかに係る塗膜転写具であって、前記内部カセットの全部又は一部が交換可能である。
【発明の効果】
【００１３】
本発明の塗膜転写具では、簡単な構造で容器（第１ケース及び第２ケース）を確実に閉じることができるので、転写ヘッドに掛け回したテ−プの外面に塗布された糊や修正インクなどの塗膜を確実に保護することができる。しかも、使用時に転写ヘッドが容器から大きく突出するので、使用者が転写位置を見やすい。
【図面の簡単な説明】
【００１４】
【図１】本発明の第１実施形態の塗膜転写具の内部カセットを示す図である。
【図２】本発明の第１実施形態の塗膜転写具のケース（第１ケース）単体を示す図である。
【図３】本発明の第１実施形態の塗膜転写具のカバー（第２ケース）単体を示す図である。
【図４】本発明の第１実施形態の塗膜転写具の内部カセットをケース（第１ケース）に装着した状態を示す図である。
【図５】本発明の第１実施形態の塗膜転写具の内部カセットを装着したケースにさらにカバー（第２ケース）を装着した状態を示す図である。
【図６】図５（ｃ）のＮ−Ｎ断面図である。
【図７】本発明の第１実施形態の塗膜転写具の使用状態を示す図である。
【発明を実施するための形態】
【００１５】
図１〜図７に、本発明の第１実施形態の塗膜転写具Ａを示す。
【００１６】
塗膜転写具Ａは、基材テープＴ１上に塗膜を設けた転写テープＴを繰出部（繰出コア）から繰出し、転写押圧部で転写テープＴを押圧して塗膜を被転写面へ転写した後、基材テープＴ１を巻取部（巻取コア）で巻き取るように構成されている。また、基材テープＴ１の巻取り長さが転写テープＴの繰出し長さより長くなるように、繰出コアと巻取コアを連動回転させ、転写テープＴに適度な張力をかけることによって、転写テープＴがたるまないように構成されている。
【００１７】
塗膜転写具Ａの筐体部分である外部カセット１は、少なくとも図２に示すケース１１と図３に示すカバー１２で構成される。ケース１１とカバー１２を組み合わせると、内部に空間を有する筐体である外部カセット１が形成される。ケース１１、カバー１２ともに平面視円形となっており、ケース１１にカバー１２を組み合わせた状態で、ケース１１とカバー１２は相互に回転可能となる。
【００１８】
図３に示すように、カバー１２は円形の底面１２１と、底面１２１の外周から略垂直に立ち上がる側壁１２２で構成される。側壁１２２には、ケース１１と組み合わされた際に開口部１３となる開口部１２３、ケース１１の弾性片１１４の凸部１１６と係合する係合穴１２４、及びケース１１の係合突起１１５と係合する係合溝１２５が設けられている。
【００１９】
図２に示すように、ケース１１は円形の底面１１１と、底面１１１の外周の少し内側から略垂直に立ち上がる側壁１１２で構成される。側壁１１２には、カバー１２と組み合わされた際に開口部１３となる開口部１１３、カバー１２の係合穴１２４と係合する凸部１１６が設けられた弾性片１１４、及びカバー１２の係合溝１２５と係合する係合突起１１５が設けられている。
【００２０】
ケース１１の側壁１１２の外周の直径よりも、カバー１２の側壁１２２の内周の直径は、僅かに大きく作られている。そのため、カバー１２の側壁１２２の内側にケース１１の側壁１１２を装着すると、ケース１１とカバー１２は相互に回転可能となる。また、ケース１１をカバー１２に装着すると、ケース１１の係合突起１１５がカバー１２の係合溝１２５と係合する係合部が形成されるとともに、ケース１１の弾性片１１４の凸部１１６がカバー１２の係合穴１２４と係合する係合部が形成される。これらの係合部は、ケース１１とカバー１２が相互に回転する際のガイドとなるとともに、ケース１１とカバー１２が分離することを防止する抜け止めとなる。
【００２１】
外部カセット１の内部には、内部カセット２が収納される。内部カセットを図１に示す。図１（ｆ）は、内部カセット２の内部構造を示すために内カバー２２を除いた状態を示す図であり、図１（ｅ）は図１（ｄ）のＭ−Ｍ断面である。図１（ｅ）や図１（ｆ）に示すように、内部カセット２では、内ケース２１と内カバー２２で構成される筐体に、繰出コア２３と巻取コア２４が回転可能に軸支されている。繰出コア２３には転写テープＴが巻きつけられ、転写テープＴを繰出す繰出部が形成されており、巻取コア２４は塗膜の転写後に基材テープＴ１を巻き取る巻取部となっている。内部カセット２からは転写ヘッド２５が突出し、転写テープＴから塗膜を被転写面に押圧転写する転写押圧部が形成される。
【００２２】
内部カセット２では、内ケース２１を内カバー２２へ固定する方法として、その一方に設けたピンを他方に設けた穴に圧入して嵌合する方法が用いられるが、これらを固定する方法は嵌合に限定されるものではなく、任意の方法を用いることができる。
【００２３】
繰出コア２３と巻取コア２４には、プーリー部２３１，２４１が設けられている。プーリー部２３１と２４１には１本のＯリング２６が掛けまわされ、繰出コア２３と巻取コア２４はＯリング２６により連動回転可能となっている。内部カセット２では、基材テープＴ１の巻取り長さが転写テープＴの繰出し長さより長くなるように、繰出コア２３の転写テープＴを巻き付ける外径と巻取コア２４の基材テープＴ１を巻き付ける外径とが設定される。そして、Ｏリング２６と巻取コア２４のプーリー部２４１とが滑ることによって、転写テープＴの繰り出し長さと基材テープＴ１の巻き取り長さの差を吸収するように、繰出コア２３と巻取コア２４とが連動回転する。これにより、転写テープＴに適度な張力がかかり、転写テープＴがたるまない。内部カセット２ではコア同士の連動機構として、Ｏリングを使用しているが、本発明の塗膜転写具の連動機構はＯリングに限定されるものではなく、ギヤや摩擦車など、任意の連動機構が使用可能である。
【００２４】
内部カセット２の組み立てに当たっては、まず内ケース２１に、転写ヘッド２５を組み込む。次に、転写テープＴのルートを形成しつつ、転写テープＴを含む繰出コア２３と巻取コア２４を組み込み、繰出コア２３と巻取コア２４のそれぞれのプーリー部２３１，２４１にＯリング２６を掛け回す。最後に、内ケース２１に内カバー２２を装着する。
【００２５】
繰出コア２３と巻取コア２４の回転中心を結んだ直線と、２つのコアのうち転写ヘッド２５に近い側のコア（本実施形態では、巻取コア２４）の回転中心と転写ヘッド２５の先端を結んだ直線がなす角度Ｐは、直角または、直角よりも少し小さい角度となる。これら２直線が交わる角度Ｐが直角または、直角よりも少し小さい角度となることによって、内部カセット２を外部カセット１内に効率的に収納することができ、外部カセット１を小型化することができる。具体的には、角度Ｐは７５°以上９０°以下が好ましく、より好ましくは８０°以上８５°以下である。
【００２６】
本実施形態では、塗膜転写具Ａの内部カセット２の筐体部分は、内ケース２１と内カバー２２の２部品のみで構成する形態とした。しかしながら、塗膜転写時の転写ヘッド２５に作用する外力によって筐体部分が変形して、転写テープの走行不具合が発生しなければ、筐体部分を１部品で構成することもできる。
【００２７】
図４に内部カセット２をケース１１に装着した状態を示す。図４（ａ）は内部カセット２をケース１１に装着した状態を示す斜視図であり、図４（ｂ）は同状態を内部カセット２の装着方向からみた平面図であり、図４（ｃ）は図４（ｂ）の右側面図である。外部カセット１のケース１１に設けられた円柱状の回転軸１１７に、内部カセット２の内ケース２１に設けられた装着穴２１１を装着することにより、内部カセット２は外部カセット１に装着される。回転軸１１７に装着穴２１１を装着すると、内部カセット２の転写ヘッド２５が、ケース１１の開口部１１３近傍に装着される。装着穴２１１の直径は、回転軸１１７の直径よりも僅かに大きくなっているので、内部カセット２は回転軸１１７を中心として回転することができる。
【００２８】
内部カセット２が装着されたケース１１に、カバー１２を装着することによって、塗膜転写具Ａは完成する。図５に、塗膜転写具Ａが完成した状態を示す。図５（ａ）は内部カセット２を装着したケース１１にさらにカバー１２を装着した状態を示す斜視図であり、図５（ｂ）は同状態をカバー１２の装着方向からみた平面図であり、図５（ｃ）は図５（ｂ）の右側面図である。ケース１１にカバー１２を装着する際には、ケース１１の弾性片１１４の凸部１１６をカバー１２の係合穴１２４に合わせ、ケース１１の係合突起１１５をカバー１２の係合溝１２５に合わせた状態で、ケース１１の側壁１１２の外周をカバー１２の側壁１２２の内周に挿入する。ケース１１の弾性片１１４の凸部１１６を、側壁１２２の内周方向に押した状態で、ケース１１にカバー１２を装着することにより、弾性片１１４はカバー１２の側壁１２２の内周に挿入される。この状態で、さらにケース１１をカバー１２に押し込むと、ケース１１の係合突起１１５が、カバー１２の側壁１２２の端面に乗り上げる。
【００２９】
係合突起１１５は半球状の突起であり、カバー１２の側壁１２２は係合突起１１５が乗り上げる位置の近くに開口部１２３が設けられている。そのため、係合突起１１５の球面に沿ってカバー１２の側壁１２２が外周方向に撓んで、係合突起１１５が側壁１２２の内周に潜り込み、ケース１１がカバー１２内に挿入される。さらにケース１１をカバー１２に押し込み、ケース１１の凸部１１６がカバー１２の係合穴１２４の位置まで到達すると、ケース１１の弾性片１１４は自らの弾性力によって側壁１２２の外周方向に変形し、弾性片１１４の凸部１１６はカバー１２の係合穴１２４内に挿入される。同様に、係合突起１１５が係合溝１２５の位置まで到達すると、カバー１２の側壁１２２が自らの弾性力により内周方向に変形し、係合突起１１５が係合溝１２５内に挿入される。
【００３０】
係合穴１２４の幅は凸部１１６の幅よりも僅かに大きくなっており、係合溝１２５は係合突起１１５よりも僅かに大きくなっている。そのため、凸部１１６は係合穴１２４内を、係合突起１１５は係合溝１２５内を、それぞれ軽い力で移動することができるようになる。そして、係合穴１２４と係合溝１２５が設けられた範囲内で、ケース１１とカバー１２は、それぞれに対して回転することができる。
【００３１】
図６は、塗膜転写具Ａの内部カセット２が外部カセット１内で移動する状態を示すために、塗膜転写具Ａを図５（ｃ）に示すＮ−Ｎ断面にて切断し、内部状態を見た図である。ケース１１にカバー１２をセットした図６（ａ）の状態から、カバー１２に対してケース１１を右回りに回転させると、塗膜転写具Ａは図６（ｂ）の状態となる。図６（ｂ）の状態では、ケース１１の開口部１１３はカバー１２の側壁１２２で覆われており、カバー１２の開口部１２３はケース１１の側壁１１２で覆われており、外部カセット１は閉じた状態となる。このとき、内部カセット２の転写ヘッド２５上の転写テープＴの塗膜は、確実に保護されている。
【００３２】
図６（ｂ）の状態では、ケース１１の弾性片１１４に設けられた半球状の突起である回転止突起１１８が、カバー１２の側壁１２２内周に設けられた回転止溝１２６に係合している。これにより、ケース１１がカバー１２に対して回転しないようになり、転写ヘッド２５上の転写テープＴの塗膜が確実に保護された状態が維持される。
【００３３】
図６（ｂ）の状態から、ケース１１の凸部１１６を内周方向へ押圧すると、弾性片１１４が弾性変形して、弾性片１１４上の回転止突起１１８が回転止溝１２６から外れる。これにより、ケース１１がカバー１２に対して回転可能となる。
【００３４】
図６（ｂ）の状態の塗膜転写具Ａの凸部１１６を内周方向へ押しつつ、ケース１１をカバー１２に対して左回りに回転させると、内部カセット２はケース１１とともに回転して、塗膜転写具Ａは図６（ｃ）の状態となる。このとき、ケース１１の開口部１１３とカバー１２の開口部１２３が重なり始めて、塗膜転写具Ａの開口部１３が出現する。また、塗膜転写具Ａが図６（ｃ）の状態となることにより、内部カセット２はカバー１２の開口部１２３の端部内側に設けられた凸部である押出ピン１２７と接触する。
【００３５】
内部カセット２が凸部である押出ピン１２７と接触した状態から、ケース１１をカバー１２に対してさらに左回りに回転させると、内部カセット２は押出ピン１２７と接触することにより、ケース１１の回転軸１１７回りに回転する。その結果、内部カセット２の転写ヘッド２５側の端部が揺動する。より具体的には、内部カセット２は押出ピン１２７と接触する前においては、ケース１１との位置関係を維持しつつ、ケース１１のカバー１２に対する回転に合わせて、カバー１２に対して回転する。しかしながら、ケース１１がカバー１２に対して一定以上回転すると、転写押圧部が押出ピン１２７に接触し、押出ピン１２７が転写押圧部のそれまでの回転方向の進路を妨げる。そのため、この状態からケース１１をカバー１２に対してさらに回転させる力が加えられると、転写押圧部の進路を変えるべく、内部カセット２全体が回転軸１１７周りを揺動する。
【００３６】
内部カセット２の転写ヘッド２５側の端部が揺動することにより、ケース１１をカバー１２に対してさらに左回りに回転させると、内部カセット２が押出ピン１２７に対して滑って、転写ヘッド２５が開口部１３から外部カセット１外へ大きく突出する。これにより、塗膜転写具Ａは図６（ｄ）の状態になる。転写ヘッド２５が外部カセット１から大きく突出するので、使用者が塗膜を転写する位置が見やすい状態で塗膜転写具Ａを使用することができる。
【００３７】
塗膜転写具Ａが図６（ｄ）の状態になると、ケース１１の弾性片１１４の先端に設けられた回転止爪１１９が、カバー１２に設けられた回転止穴１２８と係合する。これにより、ケース１１がカバー１２に対して回転しない回転禁止状態が形成され、転写ヘッド２５が外部に突出した状態が維持される。このため、転写ヘッド２５上の塗膜を転写しようとして、転写ヘッド２５を被転写面に押圧しても、転写ヘッド２５が、外部カセット１内に押し込まれない。
【００３８】
図２示すように、回転止爪１１９は、弾性片１１４の先端側にのみ勾配が設けられ、反対側は弾性片１１４から略垂直に立ち上がった面を形成している。このように弾性片１１４の先端側には勾配が設けられているため、塗膜転写具Ａが図６（ｃ）状態から図６（ｄ）の状態になる途中で、回転止爪１１９がカバーの係合穴１２４の端面と接触すると、回転止爪１１９に設けられた勾配に沿って弾性片１１４が弾性変形する。そして、回転止爪１１９がカバー１２の側壁内周と接触して滑りながら、塗膜転写具Ａは図６（ｄ）の状態に至る。塗膜転写具Ａが、図６（ｄ）の状態になると、弾性片１１４の弾性力により回転止爪１１９は回転止穴１２８内に挿入される。回転止爪１１９が回転止穴１２８に挿入された状態で、塗膜転写具Ａが図６（ｄ）の状態から図６（ｃ）の状態へ変化する方向にケース１１がカバー１２に対して回転しようとすると、回転止穴１２８の端面と回転止爪１１９の弾性片１１４から略垂直に立ち上がった面とがしっかりと面接触する。その結果、このとき、ケース１１がカバー１２に対して回転することが防止される回転禁止状態が形成される。このため、転写ヘッド２５を被転写面に押圧しても、転写ヘッド２５は、外部カセット１内に押し込まれない。
【００３９】
また、塗膜転写具Ａが図６（ｄ）の状態になると、内ケース２１と内カバー２２のそれぞれに設けられた押圧力保持部２１２と２２２が、カバー２の押出ピン１２７と係合する。ケース１１に対してカバー１２を回転させることにより、塗膜転写具Ａを図６（ｄ）の状態にしただけでは、図７（ｂ）に示すように、押圧力保持部２１２，２２２と押出ピン１２７は浅く係合し、押圧力保持部２１２，２２２の内周と押出ピン１２７の外周には隙間がある状態が形成される。なお、図７は、塗膜転写具Ａを使用して、塗膜を転写するために、塗膜転写具Ａの転写ヘッド２５を被転写面に押圧している状態を示す図である。
【００４０】
塗膜転写具Ａが図６（ｄ）の状態で、塗膜を転写するために転写ヘッド２５を被転写面へ押圧すると、転写ヘッド２５に加えられた押圧力により、押圧力保持部２１２，２２２と押出ピン１２７は深く係合する。このとき、図７（ｃ）に示すように、押圧力保持部２１２，２２２の内周と押出ピン１２７の外周は隙間なく密着する。
【００４１】
押圧力保持部２１２，２２２の内周と押出ピン１２７の外周が隙間なく密着することにより、転写ヘッド２５に加えられた押圧力は、押出ピン１２７によっても受けとめられる。このため、転写ヘッド２５を被転写面に押圧しても、ケース１１がカバー１２に対してより確実に回転しない回転禁止状態が形成される。このとき、転写ヘッド２５が外部に突出した状態がより確実に維持され、転写ヘッド２５が外部カセット１内に押し込まれることはない。
【００４２】
転写ヘッド２５の被転写面への押圧を解除すると、押圧力保持部２１２，２２２と押出ピン１２７が浅く係合しており、押圧力保持部２１２，２２２の内周と押出ピン１２７の外周に隙間がある状態に戻る。このため、塗膜転写具Ａを図６（ｄ）の状態から図６（ｃ）の状態へ変化させようとすると、押圧力保持部２１２，２２２と押出ピン１２７の係合は容易に外れる。その結果、回転止爪１１９と回転止穴１２８の係合を解除するだけで、ケース１１に対してカバー１２を回転させることができる。塗膜転写具Ａでは、押圧力保持部を内ケース２１と内カバー２２の両方に設けたが、転写押圧力を受けることによって変形したり破損したりしない強度が確保できれば、必ずしも内ケース２１と内カバー２２の両方に設ける必要はない。よって、押圧力保持部を内ケース２１か内カバー２２のどちらか一方にだけ設けてもよい。
【００４３】
図６（ｄ）の状態で、ケース１１の凸部１１６を内周方向へ押圧すると、弾性片１１４が弾性変形して、弾性片１１４上の回転止爪１１９が回転止穴１２８から外れる。これにより、ケース１１がカバー１２に対して回転可能となる。
【００４４】
図６（ｄ）の状態の塗膜転写具Ａの凸部１１６を内周方向へ押しつつ、ケース１１をカバー１２に対して右回りに回転させると、内部カセット２は引戻ピン１２９と接触して滑ることによって回転軸１１７回りに回転（揺動）する。その結果、外部カセット１から突出した転写ヘッド２５が外部カセット１内に収納されると同時に、内部カセット２がケース１１とともにカバー１２に対して回転し、塗膜転写具Ａは図６（ｅ）の状態となる。
【００４５】
図６（ｅ）の状態から、さらにケース１１をカバー１２に対して右回りに回転させると、塗膜転写具Ａは再び図６（ｂ）の状態となる。このとき、ケース１１の開口部１１３とカバー１２の開口部１２３の位置がずれて、ケース１１の開口部１１３がカバー１２の側壁１２２で覆われるとともに、カバー１２の開口部１２３がケース１１の側壁１１２で覆われる。これにより、開口部１３が無くなり、転写ヘッド２５上の転写テープＴの塗膜が確実に保護される。
【００４６】
塗膜転写具Ａでは、ケース１１の弾性片１１４の凸部１１６を側壁１２２の内周方向に押し込むことにより、ケース１１をカバー１２から引き抜くことができる。また、ケース１１をカバー１２から引き抜くことにより、ケース１１から内部カセット２を取り外すことができる。したがって、塗膜転写具Ａは、内部カセット２の転写テープＴを使い終えると、新たな内部カセット２を装着して、外部カセット１を再利用でき、所謂交換タイプの塗膜転写具として、使用することができる。
【００４７】
以上より、上記実施形態に係る塗膜転写具では、保護キャップやノック部材など、容器本体とは別の部品を設けなくても、簡単な構造で容器（ケース及びカバー）を確実に閉じることができる。そのため、転写ヘッドに掛け回したテ−プの外面に塗布された糊や修正インクなどの塗膜を確実に保護することができる。しかも、本発明の塗膜転写具では、使用時に転写ヘッドが容器から大きく突出するので、使用者が転写位置を見やすい。
【符号の説明】
【００４８】
Ａ                ：塗膜転写具
Ｔ                ：転写テープ
Ｔ１              ：基材テープ
１                ：外部カセット
１１              ：ケース（第１ケース）
１１１            ：底面
１１２            ：側壁
１１３            ：開口部（ケース）
１１４            ：弾性片
１１５            ：係合突起
１１６            ：凸部
１１７            ：回転軸
１１８            ：回転止突起
１１９            ：回転止爪
１２              ：カバー（第２ケース）
１２１            ：底面
１２２            ：側壁
１２３            ：開口部（カバー）
１２４            ：係合穴
１２５            ：係合溝
１２６            ：回転止溝
１２７            ：押出ピン
１２８            ：回転止穴
１２９            ：引戻ピン
１３              ：開口部
２                ：内部カセット
２１              ：内ケース
２１１            ：装着穴
２１２            ：押圧力保持部
２２              ：内カバー
２２２            ：押圧力保持部
２３              ：繰出コア
２３１            ：プーリー部
２４              ：巻取コア
２４１            ：プーリー部
２５              ：転写ヘッド
２６              ：Ｏリング
【図１】
0006780191.tif 000002
【図２】
0006780191.tif 000003
【図３】
0006780191.tif 000004
【図４】
0006780191.tif 000005
【図５】
0006780191.tif 000006
【図６】
0006780191.tif 000007
【図７】
0006780191.tif 000008